(57)【要約】【課題】ＩＳＤＮ回線中に直列接続されるＩＳＤＮアダプタにおいて、持ち切り状態が発生しても、当該持ち切り状態を適切に解除して端末機からの新たな発信及び着信を正常に行うことが可能なＩＳＤＮアダプタを提供する。【解決手段】ＩＳＤＮアダプタは、電話機からの呼出情報に応じて接続先をＩＳＤＮまたはＩＰ網のいずれかに切り換え、前記ＩＳＤＮ用に用意された複数のチャネルのいずれかを用いて、当該ＩＳＤＮアダプタと前記電話機までの通話経路を形成する。そして前記ＩＳＤＮアダプタは、前記電話機における任意の電話機を前記ＩＳＤＮまたは前記ＩＰ網のいずれかに接続して通話経路を形成している場合に、当該通話経路における当該ＩＳＤＮアダプタと前記回線終端装置との間に形成している通話経路に用いているチャネルを指定した呼出情報を前記回線終端装置から受信すると、当該チャネルを解放する。【選択図】        図４
2007281677.tif 000002
【特許請求の範囲】
【請求項１】
ＩＳＤＮ加入者の回線終端装置とＩＳＤＮとを接続するＩＳＤＮ回線中に直列接続され、更にＩＰ網にも接続されて、前記回線終端装置を経由して前記ＩＳＤＮ回線に接続された少なくとも２台の電話機の各々を前記ＩＳＤＮまたは前記ＩＰ網のいずれかに接続可能なＩＳＤＮアダプタであって、
前記ＩＳＤＮアダプタは、
前記電話機からの呼出情報に応じて接続先を前記ＩＳＤＮまたは前記ＩＰ網のいずれかに切り換え、前記ＩＳＤＮ側からの着信要求に対しては前記電話機を前記ＩＳＤＮに接続し、前記ＩＰ網側からの着信要求に対しては前記電話機を前記ＩＰ網に接続し、
前記ＩＳＤＮ用に用意された複数のチャネルのいずれかを用いて、当該ＩＳＤＮアダプタと前記電話機までの通話経路を形成し、
前記電話機における任意の電話機を前記ＩＳＤＮまたは前記ＩＰ網のいずれかに接続して通話経路を形成している場合に、当該通話経路における当該ＩＳＤＮアダプタと前記回線終端装置との間に形成している通話経路に用いているチャネルを指定した呼出情報を前記回線終端装置から受信すると、当該チャネルを解放する、
ことを特徴とするＩＳＤＮアダプタ。
【請求項２】
ＩＳＤＮ加入者の回線終端装置とＩＳＤＮとを接続するＩＳＤＮ回線中に直列接続され、更にＩＰ網にも接続されて、前記回線終端装置を経由して前記ＩＳＤＮ回線に接続された少なくとも２台の電話機の各々を前記ＩＳＤＮまたは前記ＩＰ網のいずれかに接続可能なＩＳＤＮアダプタであって、
前記ＩＳＤＮアダプタは、
前記電話機からの呼出情報に応じて接続先を前記ＩＳＤＮまたは前記ＩＰ網のいずれかに切り換え、前記ＩＳＤＮ側からの着信要求に対しては前記電話機を前記ＩＳＤＮに接続し、前記ＩＰ網側からの着信要求に対しては前記電話機を前記ＩＰ網に接続し、
前記ＩＳＤＮ用に用意された複数のチャネルのいずれかを用いて、当該ＩＳＤＮアダプタと前記電話機までの通話経路を形成し、
前記電話機における任意の電話機を前記ＩＳＤＮに接続して通話経路を形成している場合に、当該通話経路における当該ＩＳＤＮアダプタと前記ＩＳＤＮとの間に形成している通話経路に用いているチャネルを指定した着信要求を前記ＩＳＤＮ側から受信すると、当該チャネルを解放する、
ことを特徴とするＩＳＤＮアダプタ。
【発明の詳細な説明】
【技術分野】
【０００１】
本発明は、ＩＳＤＮ回線を用いた既存の電話機にて、ＩＰ網を用いたいわゆるＩＰ電話も可能とするＩＳＤＮアダプタに関する。
【背景技術】
【０００２】
近年では、ＩＰ網にて音声通信を行うＶｏＩＰ（Voice  over  ＩＰ）アダプタを用いて、従来の回線交換型の電話網（ＰＳＴＮ）を経由せずに、パケット交換型のＩＰ網を経由させることで通話料金を削減する、いわゆるＩＰ電話が普及している。
しかし、従来の電話網では通話可能であるが、ＩＰ網では通話を行うことが不可能な電話番号が存在している（例えば電話網の加入端末ではあるが、ＩＰ網の加入端末でない電話機等）。そこで、ＶｏＩＰアダプタは、電話番号に応じて通話経路を電話網あるいはＩＰ網に切り換えている。なお、電話網とＩＰ網では送受信されるデータ形式及びプロトコルが異なるため、ＶｏＩＰアダプタは各々のデータ形式及びプロトコルに変換して音声通信を行う。
また、ＩＳＤＮ（Integrated  Service  Digital  Network）の場合もＰＳＴＮと同様に、ＩＳＤＮを経由せずにＩＰ網を経由させるＩＳＤＮアダプタが普及している。ＩＳＤＮアダプタは、上記のＶｏＩＰアダプタと同様に、電話番号に応じて通話経路をＩＳＤＮあるいはＩＰ網に切り換え、ＩＳＤＮアダプタは、ＩＳＤＮとＩＰ網の各々のデータ形式及びプロトコルに変換して音声通話を行う。
この場合、ＩＳＤＮアダプタは、通話料金が比較的安いＩＰ網への接続を優先し、ＩＰ網を用いた通話経路を形成できない場合にＩＳＤＮを用いた通話経路を形成している。
【０００３】
ここで例えば特許文献１に記載された従来技術では、交換機１と交換機２とを専用線で接続し、当該専用線のバックアップ回線としてＩＳＤＮ回線を利用可能とした専用線接続方式において、ＩＳＤＮ回線を用いた場合、接続可能な着呼側の交換機は応答メッセージ内に自局番号を含ませるように設定されている。発呼側の交換機には、接続可能局番号リストが記憶されており、ＩＳＤＮ回線を用いた際、発呼側の交換機は着呼側の交換機からの応答メッセージに局番号が含まれており且つその局番号が接続可能局番号リストにある場合に回線を接続し、そうでない場合は回線を切断することで、誤接続をしたまま回線を持ち切ることを回避する専用線接続方式が提案されている。
【特許文献１】特開平６−２９１８３７号公報
【発明の開示】
【発明が解決しようとする課題】
【０００４】
特許文献１に記載した従来技術では、接続先を誤った場合は発呼側の端末機（この場合、交換機１）にて直ちに回線を切断して、誤接続をしたまま接続状態を継続する不都合を防止している。しかし、ＩＳＤＮと端末機１（交換機１）、ＩＳＤＮと端末機２（交換機２）との経路中には、どちらも中継機器（特許文献１では、ＩＳＤＮトランク）が接続されており、ＩＳＤＮと端末機１と端末機２が、それぞれ通信の終了を認識していても、何らかの要因で中継機器が通信の終了を認識せずに通信中であると認識してしまった場合（いわゆる「持ち切り」状態が発生した場合）、正常にＩＳＤＮ回線が解放されずに、端末機１または端末機２から新たな発信及び着信を正常に行うことができなくなる可能性がある。
本発明は、このような点に鑑みて創案されたものであり、ＩＳＤＮ回線中に直列接続されるＩＳＤＮアダプタにおいて、持ち切り状態が発生しても、当該持ち切り状態を適切に解除して端末機からの新たな発信及び着信を正常に行うことが可能なＩＳＤＮアダプタを提供することを課題とする。
【課題を解決するための手段】
【０００５】
上記課題を解決するための手段として、本発明の第１発明は、請求項１に記載されたとおりのＩＳＤＮアダプタである。
請求項１に記載のＩＳＤＮアダプタは、ＩＳＤＮ加入者の回線終端装置とＩＳＤＮとを接続するＩＳＤＮ回線中に直列接続され、更にＩＰ網にも接続されて、前記回線終端装置を経由して前記ＩＳＤＮ回線に接続された少なくとも２台の電話機の各々を前記ＩＳＤＮまたは前記ＩＰ網のいずれかに接続可能なＩＳＤＮアダプタである。
前記ＩＳＤＮアダプタは、前記電話機からの呼出情報に応じて接続先を前記ＩＳＤＮまたは前記ＩＰ網のいずれかに切り換え、前記ＩＳＤＮ側からの着信要求に対しては前記電話機を前記ＩＳＤＮに接続し、前記ＩＰ網側からの着信要求に対しては前記電話機を前記ＩＰ網に接続し、前記ＩＳＤＮ用に用意された複数のチャネルのいずれかを用いて、当該ＩＳＤＮアダプタと前記電話機までの通話経路を形成する。
そして前記ＩＳＤＮアダプタは、前記電話機における任意の電話機を前記ＩＳＤＮまたは前記ＩＰ網のいずれかに接続して通話経路を形成している場合に、当該通話経路における当該ＩＳＤＮアダプタと前記回線終端装置との間に形成している通話経路に用いているチャネルを指定した呼出情報を前記回線終端装置から受信すると、当該チャネルを解放する。
【０００６】
また、本発明の第２発明は、請求項２に記載されたとおりのＩＳＤＮアダプタである。
請求項２に記載のＩＳＤＮアダプタは、請求項１に記載のＩＳＤＮアダプタに対して、前記電話機における任意の電話機を前記ＩＳＤＮに接続して通話経路を形成している場合に、当該通話経路における当該ＩＳＤＮアダプタと前記ＩＳＤＮとの間に形成している通話経路に用いているチャネルを指定した着信要求を前記ＩＳＤＮ側から受信すると、当該チャネルを解放する。
【発明の効果】
【０００７】
請求項１に記載のＩＳＤＮアダプタを用いれば、例えば、ＩＳＤＮアダプタが現在任意の電話機（端末機）から自身であるＩＳＤＮアダプタまでの通話経路をＢ１チャネルを用いて接続していると認識している場合、実際には電話機もＩＳＤＮもＢ１チャネルを用いた通話が終了したと認識している、いわゆる持ち切り状態が発生していても、現在通話中であると認識しているＢ１チャネルを指定した呼出情報が電話機から回線終端装置を経由して送信されてきたことで、電話機側ではＢ１チャネルを用いた通話が終了していることを認識することができる。従って、当該チャネルに対してＩＳＤＮアダプタ自身が持ち切り状態となっていることを認識することができるので、当該チャネルを解放することで、持ち切り状態を適切に解除することができる。
【０００８】
また、請求項２に記載のＩＳＤＮアダプタによれば、例えば、ＩＳＤＮアダプタが現在ＩＳＤＮから自身であるＩＳＤＮアダプタまでの通話経路をＢ１チャネルを用いて接続していると認識している場合、実際には電話機もＩＳＤＮもＢ１チャネルを用いた通話が終了したと認識している、いわゆる持ち切り状態が発生していても、現在通話中であると認識しているＢ１チャネルを指定した着信要求がＩＳＤＮ側から送信されてきたことで、ＩＳＤＮ側ではＢ１チャネルを用いた通話が終了していることを認識することができる。従って、当該チャネルに対してＩＳＤＮアダプタ自身が持ち切り状態となっていることを認識することができるので、当該チャネルを解放することで、持ち切り状態を適切に解除することができる。
【発明を実施するための最良の形態】
【０００９】
以下に本発明を実施するための最良の形態を図面を用いて説明する。図１（Ａ）及び（Ｂ）は、加入者の電話機５０Ａ〜５０ＮからＩＳＤＮ及びＩＰ網までの接続図を示しており、本発明のＩＳＤＮアダプタ１０を含む通信システムの接続図の例を示している。
●［接続図（図１）］
図１（Ａ）は、ＩＳＤＮ加入者の電話機の数が比較的多い場合の接続図の例を示しており、構内交換機３０（ＰＢＸ等）を含む構成である。
図１（Ａ）の接続図の例において、電話機５０Ａ及び５０Ｂはアナログ電話機であり、ターミナルアダプタ４０（以下、ＴＡ４０と記載する）を経由して構内交換機３０に接続されている。ＴＡ４０は既存のアナログ電話機をＩＳＤＮにて使用可能とするインタフェースである。また電話機５０Ｃ〜５０ＮはＩＳＤＮ用のデジタル電話機であり、ＴＡ４０を経由することなく構内交換機３０に接続されている。
構内交換機３０は回線終端装置２０（Digital  Service  Unit：ＤＳＵ）に接続され、回線終端装置２０はＩＳＤＮ回線ＣＤを介してＩＳＤＮアダプタ１０に接続される。そしてＩＳＤＮアダプタ１０は、ＩＳＤＮ回線ＣＳを介してＩＳＤＮに接続されている。従ってＩＳＤＮアダプタ１０は、回線終端装置２０とＩＳＤＮとを接続するＩＳＤＮ回線中に直列接続されている。またＩＳＤＮアダプタ１０は、ＩＰ網にもインターネット回線ＣＰにて接続されている。なお、構内交換機３０は省略してもよい。
【００１０】
図１（Ｂ）の例は、２台のアナログ電話機５０Ａ及び５０Ｂを用いた接続図の例を示している。この例は一般的な２Ｂ＋Ｄのチャネル構成（Ｂ１チャネルとＢ２チャネルの２個のＢチャネルと、１個のＤチャネル）を有するＩＳＤＮ回線の例を示している。この場合、一般的にはＢ１チャネルとＢ２チャネルが音声データの送受信に利用され、Ｄチャネルは呼出音や着信要求等の制御信号に利用される。図１（Ａ）では、このＩＳＤＮ回線を複数本使用、あるいは２３Ｂ＋Ｄのチャネル構成のＩＳＤＮ回線を使用等している。
アナログ電話機５０Ａ、５０Ｂ（以下、電話機５０Ａ、５０Ｂと記載する）はターミナルアダプタ４０Ａ（以下、ＴＡ４０Ａと記載する）を経由してＩＳＤＮ回線ＣＤに接続されている。なお、図１（Ｂ）は、ＴＡ４０Ａが回線終端装置２０を収容している例を示している。
本発明のＩＳＤＮアダプタ１０は、図１（Ａ）及び（Ｂ）に示すように、通信システム中に接続され、回線終端装置２０を経由してＩＳＤＮ回線ＣＤに接続された少なくとも２台の電話機（５０Ａ〜５０Ｎ）の各々をＩＳＤＮまたはＩＰ網のいずれかに接続可能である。
図１（Ａ）の接続においても図１（Ｂ）の接続においてもＩＳＤＮアダプタ１０の動作は同様であるので、以下では図１（Ｂ）の接続にてＩＳＤＮアダプタ１０について説明する。
【００１１】
●［ＩＳＤＮアダプタ１０の内部構成（図２）］
次に、図２を用いて本発明のＩＳＤＮアダプタ１０の内部構成について説明する。
ＩＳＤＮからのＩＳＤＮ回線ＣＳは回線終端装置１１に接続され、当該回線終端装置１１は切換手段ＳＷＡに接続されている。切換手段ＳＷＡは、回線終端装置１１を、スルー側のＳ／Ｔ点Ｐ１側に接続するか制御手段１３側に接続するか、を切り換えている。なお、切換手段ＳＷＢは切換手段ＳＷＡと連動しており、切換手段ＳＷＡがＳ／Ｔ点Ｐ１側と短絡した場合は切換手段ＳＷＢもＳ／Ｔ点Ｐ１側と短絡する方向に切り換わる。また切換手段ＳＷＡが制御手段１３側と短絡した場合は切換手段ＳＷＢも制御手段１３側と短絡する方向に切り換わる。
ＩＳＤＮアダプタ１０は電源が供給されて正常に動作している場合、切換手段ＳＷＡ、ＳＷＢを制御手段１３側と短絡させ、電源の供給が停止した場合あるいは電源は供給されているが動作が正常でない場合、切換手段ＳＷＡ、ＳＷＢをＳ／Ｔ点Ｐ１側と短絡させる。
なお、Ｓ／Ｔ点Ｐ１、Ｐ２、Ｐ３は、回線終端装置１１から電話機側のＩＳＤＮバスに他の機器を接続する場合の配線取出し点であり（同様にポイントＰ４はインターネット回線ＣＰに他の機器を接続する場合の配線取出し点）、特に説明は省略する。
【００１２】
制御手段１３は例えばＣＰＵであり、電話機５０ＡをＩＳＤＮに接続するように通話経路を形成した場合、電話機５０Ａからの音声データ（ＩＳＤＮ用のプロトコル及びデータ形式であり、以下では音声データ［ＩＳＤＮ］と記載する）をＩＳＤＮ回線ＣＤからＩＳＤＮインタフェース１４を介して受信し、受信した音声データ［ＩＳＤＮ］をＩＳＤＮインタフェース１２、回線終端装置１１及びＩＳＤＮ回線ＣＳを介してＩＳＤＮに向けて送信する。またＩＳＤＮ側からの音声データ［ＩＳＤＮ］をＩＳＤＮ回線ＣＳから回線終端装置１１及びＩＳＤＮインタフェース１２を介して受信し、受信した音声データ［ＩＳＤＮ］をＩＳＤＮインタフェース１４及びＩＳＤＮ回線ＣＤを介して電話機５０Ａに向けて送信する。
この場合、制御手段１３はＩＳＤＮ用のプロトコル及びデータ形式のみを用いて送受信を行う。
【００１３】
また制御手段１３は、電話機５０ＢをＩＰ網に接続するように通話経路を形成した場合、電話機５０Ｂからの音声データ［ＩＳＤＮ］をＩＳＤＮ回線ＣＤからＩＳＤＮインタフェース１４を介して受信し、受信した音声データ［ＩＳＤＮ］をＩＰ網用のプロトコル及びデータ形式に変換して、変換した音声データ（以下、音声データ［ＩＰ］と記載する）をＩＰインタフェース１５及びインターネット回線ＣＰを介してＩＰ網に向けて送信する。またＩＰ網側からの音声データ［ＩＰ］をインターネット回線ＣＰからＩＰインタフェース１５を介して受信し、受信した音声データ［ＩＰ］をＩＳＤＮ用のプロトコル及びデータ形式に変換して、変換した音声データ［ＩＳＤＮ］をＩＳＤＮインタフェース１４及びＩＳＤＮ回線ＣＤを介して電話機５０Ｂに向けて送信する。
この場合、制御手段１３はＩＳＤＮ用のプロトコル及びデータ形式とＩＰ網用のプロトコル及びデータ形式とを用いて交互に変換して送受信を行う。
なお、これらの制御手段１３の動作を行わせるプログラムは、制御手段１３からアクセス可能に設けられた記憶手段１６に記憶されている。
【００１４】
ＩＳＤＮアダプタ１０は、電話機５０Ａ、５０Ｂからの呼出情報（電話機５０Ａ、５０Ｂから発信する場合のダイアル信号等）に応じて接続先をＩＳＤＮまたはＩＰ網のいずれかに切り換える。例えばＩＳＤＮアダプタ１０は、記憶手段１６にＩＰ網に接続する着信先のダイアル番号とＩＰアドレスが記憶されたＩＰ接続情報が記憶されており、電話機５０Ａ、５０Ｂからの呼出情報に含まれているダイアル番号と、記憶手段１６に記憶しているＩＰ接続情報とを照合する。そして一致するダイアル番号が検出されると、当該ダイアル番号に対応するＩＰアドレスに向けてインターネット回線ＣＰを介してＩＰ網に呼出情報（ＩＰ網用のプロトコル及びデータ形式であり、以下では呼出情報［ＩＰ］と記載する）を送信する。一致するダイアル番号が検出されない場合はＩＳＤＮ回線ＣＳを介してＩＳＤＮに呼出情報（ＩＳＤＮ用のプロトコル及びデータ形式であり、以下では呼出情報［ＩＳＤＮ］と記載する）を送信する。
なお、本実施の形態では、電話機からＩＳＤＮ側に発信する呼出信号を「呼出情報」と記載し、ＩＳＤＮ側（またはＩＰ網側）から電話機に発信する呼出信号を「着信要求信号」と記載している。
【００１５】
また、ＩＳＤＮアダプタ１０は、ＩＳＤＮ側からの着信要求信号（ＩＳＤＮ用のプロトコル及びデータ形式であり、以下では着信要求信号［ＩＳＤＮ］と記載する）を受信すると、当該着信要求信号［ＩＳＤＮ］を、ＩＳＤＮ回線ＣＤを介して回線終端装置２０に送信する。そして電話機５０Ａまたは５０Ｂがオフフックされると当該電話機からＩＳＤＮへの通話経路を形成する。
また、ＩＳＤＮアダプタ１０は、ＩＰ網側からの着信要求信号（ＩＰ網用のプロトコル及びデータ形式であり、以下では着信要求信号［ＩＰ］と記載する）を受信すると、当該着信要求信号［ＩＰ］を着信要求信号［ＩＳＤＮ］に変換して、変換した着信要求信号［ＩＳＤＮ］を、ＩＳＤＮ回線ＣＤを介して回線終端装置２０に送信する。そして電話機５０Ａまたは５０Ｂがオフフックされると当該電話機からＩＰ網への通話経路を形成する。
【００１６】
●［ＩＳＤＮアダプタ１０が持ち切り状態であることを判定する方法（図３、図４）］
例えば図３（Ａ）の例で説明すると、電話機５０Ａが発信側電話機であり、ＩＳＤＮアダプタ１０がＢ１チャネルを用いてＩＳＤＮまでの通話経路を形成し、当該Ｂ１チャネルを用いてＴＡ４０Ａそして電話機５０Ａまでの通話経路を形成している場合を考える。この場合、図４に示すように、ＩＳＤＮアダプタ１０は、自身からＩＳＤＮまでの通話経路はＢ１チャネルで通話中であり、自身からＴＡ４０Ａまでの通話経路はＢ１チャネルで通話中であると認識しており、この時点では正しい認識である。
【００１７】
上記の状態から発信側電話機である電話機５０Ａの受話器が置かれてオンフックされると、ＴＡ４０Ａは当該電話機５０Ａの通話が終了したと認識する（この認識は正常）。そしてＴＡ４０Ａは、オンフック信号（Ｂ１チャネルを指定）をＤチャネルに乗せてＩＳＤＮアダプタ１０に送信する。ＩＳＤＮアダプタ１０が正常に動作している場合、当該オンフック信号を受信すると、制御手段１３にてＴＡ４０ＡまでのＢ１チャネルを用いた通話が終了したと認識して、受信したオンフック信号（Ｂ１チャネルを指定）をＤチャネルに乗せてＩＳＤＮに送信する。
【００１８】
しかし、ＴＡ４０Ａがオンフック信号をＩＳＤＮアダプタ１０に送信したとき、例えばＩＳＤＮアダプタ１０の電源が瞬断して図２における切換手段ＳＷＡ及びＳＷＢがＳ／Ｔ点Ｐ１側と短絡する側に切り換わってしまった場合、当該オンフック信号はＩＳＤＮアダプタ１０の制御手段１３にて認識されることなく、ＩＳＤＮに届いてしまう。この場合、電話機５０Ａ、ＴＡ４０Ａ及びＩＳＤＮはＢ１チャネルを用いた通話が終了したと認識するが、ＩＳＤＮアダプタ１０は通話の終了を認識することができず、Ｂ１チャネルを用いた通話が継続しているものと誤認識する、いわゆる「持ち切り状態」が発生する。この場合、Ｂ１チャネルでの通話が終了したことを正しく認識しているＩＳＤＮからＢ１チャネルを指定した着信要求が送信されても、ＩＳＤＮアダプタ１０はＢ１チャネルが通話中であると誤認識しているので、当該着信要求を受付けない。またＢ１チャネルでの通話が終了したことを正しく認識しているＴＡ４０ＡからＢ１チャネルを指定した呼出情報が送信されても、ＩＳＤＮアダプタ１０はＢ１チャネルが通話中であると誤認識しているので、当該呼出情報を受付けない。従来では、この「持ち切り状態」が発生すると通話ができなくなってしまうので、利用者がＩＳＤＮアダプタ１０をリセット等して復旧させていた。
なお「持ち切り状態」が発生する原因は、上記の説明の他にも種々の可能性が考えられるため、発生原因を分析して発生そのものを防止することは非常に困難である。従って、「持ち切り状態」が発生したことを検出して「持ち切り状態」を適切に解除する。
【００１９】
次に図３（Ａ）及び（Ｂ）を用いて、ＩＳＤＮアダプタ１０が「持ち切り状態」であるか否かを判定する方法について説明する。
例えば図３（Ａ）に示すように、ＩＳＤＮからＩＳＤＮアダプタ１０までの経路をＢ１チャネルで接続し、ＩＳＤＮアダプタ１０からＴＡ４０Ａまでの経路をＢ１チャネルで接続し、ＴＡ４０Ａから電話機５０Ａまで接続された、Ｂ１チャネルの通話経路（図３（Ａ）中の実線の経路）が形成されている場合を考える。
この図３（Ａ）に示す状態から電話機５０Ａの受話器が置かれてオンフックされ、通話相手の電話機（図示せず）も受話器が置かれてオンフックされ、ＩＳＤＮもＴＡ４０ＡもＢ１チャネルの通話が終了したと認識しているが、ＩＳＤＮアダプタ１０がＢ１チャネルを持ち切り状態であるとする（図３（Ｂ）参照）。
この場合、ＩＳＤＮアダプタ１０は、図３（Ａ）に示す状態（ＩＳＤＮから電話機５０ＡまでをＢ１チャネルで接続している）であると誤認識している。図３（Ｂ）に示す状態では、ＩＳＤＮアダプタ１０がＢ１チャネルを持ち切り状態であるため、電話機５０ＡからのＢ１チャネルを指定した呼出情報をＴＡ４０Ａから受信しても、Ｂ１チャネルは現在、通話に使用していると誤認識しているため、当該呼出情報はＩＳＤＮに送信されない。同様に、ＩＳＤＮ側からＢ１チャネルを指定した着信要求を受信しても、Ｂ１チャネルは現在、通話に使用していると誤認識しているため、当該着信要求はＴＡ４０Ａに送信されない。
【００２０】
しかし、通話中であるはずのＢ１チャネルを指定した呼出情報がＴＡ４０Ａから送信されてきたということは、ＴＡ４０ＡはＢ１チャネルが空き状態であると認識しており、Ｂ１チャネルが通話中でない、と認識していることになる。すなわち、ＩＳＤＮアダプタ１０は、ＴＡ４０Ａとの経路で通話に使用していると認識しているチャネルを指定した呼出情報をＴＡ４０Ａから受信した場合は、当該チャネルを自身（ＩＳＤＮアダプタ１０）が「持ち切り状態」である、と判定することができる。（現在、通話に使用しているチャネルであるにもかかわらず当該チャネルを指定した新たな通話の開始を要求されたことを示す、通常ではあり得ない呼出情報を受信した場合）
また、通話中であるはずのＢ１チャネルを指定した着信要求がＩＳＤＮから送信されてきたということは、ＩＳＤＮ側はＢ１チャネルが空き状態であると認識しており、Ｂ１チャネルが通話中でない、と認識していることになる。すなわち、ＩＳＤＮアダプタ１０は、ＩＳＤＮとの経路で通話に使用していると認識しているチャネルを指定した着信要求をＩＳＤＮから受信した場合は、当該チャネルを自身（ＩＳＤＮアダプタ１０）が「持ち切り状態」である、と判定することができる。（現在、通話に使用しているチャネルであるにもかかわらず当該チャネルを指定した新たな通話の開始を要求されたことを示す、通常ではあり得ない着信要求を受信した場合）
このように、「あり得ない呼出情報」または「あり得ない着信要求」にて、「持ち切り状態」であるか否かを判定する。
そしてＩＳＤＮアダプタ１０は、「持ち切り状態」であると判定した場合、当該「持ち切り状態」のチャネルを解放する。
【００２１】
以上に説明した動作をメッセージシーケンスで表したものが図４である。
図４の例は、まずＩＳＤＮアダプタ１０は、いずれかのチャネル（この場合、Ｂ１チャネル）を用いてＩＳＤＮと通話経路を形成し、当該チャネル（この場合、Ｂ１チャネル）を用いてＴＡ４０Ａと通話経路を形成している状態である。
そしてＴＡ４０Ａからオンフック信号が送信され、当該オンフック信号をＩＳＤＮは受信して認識できたが、ＩＳＤＮアダプタ１０は認識できなかった場合等、種々の要因によって当該チャネル（この場合、Ｂ１チャネル）の「持ち切り状態」となったことを示している。
この「持ち切り状態」では、ＩＳＤＮアダプタ１０は、継続して前記チャネル（この場合、Ｂ１チャネル）を用いてＩＳＤＮとＴＡ４０Ａとの通話経路を形成しており、ＩＳＤＮ側もＴＡ４０Ａ側も通話中であると誤認識している。（ＩＳＤＮ側、及びＴＡ４０Ａ側ではともに通話は終了したと正しく認識している）
ここでＩＳＤＮアダプタ１０は、通話中であるはずのチャネル（この場合、Ｂ１チャネル）を指定した呼出情報をＴＡ４０Ａから受信すると、自身が当該チャネル（この場合、Ｂ１チャネルの）「持ち切り状態」であると判定し、当該チャネル（この場合、Ｂ１チャネル）を解放して（Ｂ１チャネルの）「持ち切り状態」を解除する。
解除後は、当該チャネル（この場合、Ｂ１チャネル）を指定した呼出情報をＴＡ４０Ａから受信すると、当該呼出情報をＩＳＤＮに送信（またはＩＰ網に送信）する正常な動作に復帰する。
また、同様の「持ち切り状態」が発生した場合に、ＩＳＤＮアダプタ１０が、通話中であるはずのチャネル（この場合、Ｂ１チャネル）を指定した着信要求をＩＳＤＮ側から受信すると、自身が当該チャネル（この場合、Ｂ１チャネルの）「持ち切り状態」であると判定し、当該チャネル（この場合、Ｂ１チャネル）を解放して（Ｂ１チャネルの）「持ち切り状態」を解除する。
【００２２】
●［通話経路の各パターンに対する、「あり得ない呼出情報」と「あり得ない着信要求」（図５）］
次に図５を用いて、「持ち切り状態」であることを判定するための「あり得ない呼出情報」と「あり得ない着信要求」のパターンについて説明する。
図５の例では、電話機５０Ａ及び５０Ｂが一般的な２Ｂ＋Ｄ（Ｂ１チャネルとＢ２チャネルの２個のＢチャネルと、１個のＤチャネル）のＩＳＤＮの場合の例である。
【００２３】
図５（Ａ）は、Ｂ１チャネルとＢ２チャネルのどちらもＩＳＤＮ経由の通話に利用した場合の例を示している。この場合、「あり得ない着信要求」は、ＩＳＤＮ側からのＢ１チャネルまたはＢ２チャネル（ＩＳＤＮとＩＳＤＮアダプタ１０との間で通話中であるはずのチャネル）を指定した着信要求である。また、「あり得ない呼出情報」は、ＴＡ４０ＡからのＢ１チャネルまたはＢ２チャネル（ＴＡ４０ＡとＩＳＤＮアダプタ１０との間で通話中であるはずのチャネル）を指定した呼出情報である。
【００２４】
図５（Ｂ）は、Ｂ１チャネルをＩＳＤＮ経由の通話に利用して、Ｂ２チャネルは空きの場合の例を示している。この場合、「あり得ない着信要求」は、ＩＳＤＮ側からのＢ１チャネル（ＩＳＤＮとＩＳＤＮアダプタ１０との間で通話中であるはずのチャネル）を指定した着信要求である。また、「あり得ない呼出情報」は、ＴＡ４０ＡからのＢ１チャネル（ＴＡ４０ＡとＩＳＤＮアダプタ１０との間で通話中であるはずのチャネル）を指定した呼出情報である。
【００２５】
図５（Ｃ）は、Ｂ１チャネルとＢ２チャネルのどちらもＩＰ網経由の通話に利用した場合の例を示している。この場合、「あり得ない着信要求」は無い。また、「あり得ない呼出情報」は、ＴＡ４０ＡからのＢ１チャネルまたはＢ２チャネル（ＴＡ４０ＡとＩＳＤＮアダプタ１０との間で通話中であるはずのチャネル）を指定した呼出情報である。
【００２６】
図５（Ｄ）は、Ｂ１チャネルをＩＰ網経由の通話に利用して、Ｂ２チャネルは空きの場合の例を示している。この場合、「あり得ない着信要求」は無い。また、「あり得ない呼出情報」は、ＴＡ４０ＡからのＢ１チャネル（ＴＡ４０ＡとＩＳＤＮアダプタ１０との間で通話中であるはずのチャネル）を指定した呼出情報である。
【００２７】
図５（Ｅ）は、Ｂ１チャネルをＩＳＤＮ経由の通話に利用して、Ｂ２チャネルをＩＰ網経由の通話に利用した場合の例を示している。この場合、「あり得ない着信要求」は、ＩＳＤＮ側からのＢ１チャネル（ＩＳＤＮとＩＳＤＮアダプタ１０との間で通話中であるはずのチャネル）を指定した着信要求である。また、「あり得ない呼出情報」は、ＴＡ４０ＡからのＢ１チャネルまたはＢ２チャネル（ＴＡ４０ＡとＩＳＤＮアダプタ１０との間で通話中であるはずのチャネル）を指定した呼出情報である。
【００２８】
また図１（Ａ）に示す３台以上の電話機（５０Ａ〜５０Ｎ）及び構内交換機３０を備えた構成の場合も同様に、「あり得ない着信要求」は、ＩＳＤＮとＩＳＤＮアダプタ１０との間で通話中であるはずのチャネルを指定したＩＳＤＮ側からの着信要求であり、「あり得ない呼出情報」は、回線終端装置２０とＩＳＤＮアダプタ１０との間で通話中であるはずのチャネルを指定した回線終端装置２０側からの呼出情報である。
【００２９】
本発明のＩＳＤＮアダプタ１０は、本実施の形態で説明した構成、動作等に限定されず、本発明の要旨を変更しない範囲で種々の変更、追加、削除が可能である。
【図面の簡単な説明】
【００３０】
【図１】本発明のＩＳＤＮアダプタ１０を含み、加入者の電話機５０Ａ〜５０ＮからＩＳＤＮ及びＩＰ網までの通信システムの接続図の例を説明する図である。
【図２】ＩＳＤＮアダプタ１０の内部構成の例を説明する図である。
【図３】ＩＳＤＮアダプタ１０が持ち切り状態であることを判定する方法を説明する図である。
【図４】ＩＳＤＮアダプタ１０が持ち切り状態であることを判定して、持ち切り状態のチャネルを解放する動作を説明するメッセージシーケンスである。
【図５】通話経路の各パターンに対する、「あり得ない呼出情報」と「あり得ない着信要求」を説明する図である。
【符号の説明】
【００３１】
１０      ＩＳＤＮアダプタ
１１      回線終端装置
１２、１４    ＩＳＤＮインタフェース
１３      制御手段
１５      ＩＰインタフェース
１６      記憶手段
２０      回線終端装置（ＤＳＵ）
３０      構内交換機（ＰＢＸ）
４０      ターミナルアダプタ（ＴＡ）
４０Ａ    ターミナルアダプタ（ＴＡ）
５０Ａ〜５０Ｎ    電話機
ＣＳ、ＣＤ    ＩＳＤＮ回線
ＣＰ          インターネット回線
【図１】
2007281677.tif 000003
【図２】
2007281677.tif 000004
【図３】
2007281677.tif 000005
【図４】
2007281677.tif 000006
【図５】
2007281677.tif 000007